(57)【要約】【課題】本発明は、緊急度の高い子機に対し優先して緊急情報を伝達することを特徴とするマルチ子機コードレス電話機を用いたセキュリティシステムを提供することを目的とする。【解決手段】センサにより火災や侵入者を検知するセキュリティ制御装置に接続される、マルチ子機コードレス電話機２２８において、親機２２７は、緊急発生時に複数の子機２００へ緊急情報の通信順序を決めるための優先度情報を含む緊急通報優先表２２６と、前記緊急通報優先表２２６に基づいて通報順序を決定する手段を備え、緊急通報優先表２２６は、子機の配置場所などに応じて適時設定可能とする。緊急通報優先表２２６により、コードレス電話親機の入力部２２２から子機識別情報とそれに対応する優先度を入力すると、制御部２２０はメモリ部２２５内の識別情報とそれに対応する優先度を更新する。【選択図】  図１
2005006242.tif 000002
【特許請求の範囲】
【請求項１】
センサにより火災や侵入者を検知するセキュリティ制御装置に接続され、親機と子機からなるセキュリティシステムに用いられるマルチ子機コードレス電話機において、
前記親機は、緊急発生時に複数の前記子機へ緊急情報の通信順序を決めるための優先度情報を含む緊急通報優先表を備え、前記緊急通報優先表は、前記子機の配置場所などに応じて前記優先度情報が適時設定可能であることを特徴とするマルチ子機コードレス電話機。
【請求項２】
前記子機は、固有の充電番号情報を有する充電台から、前記充電番号情報を取得する手段と、取得した前記充電番号情報を前記親機に送信する手段とを備え、
前記親機は、前記充電番号情報を受信して、前記緊急通報優先表に充電台位置より優先度を示す位置優先度として格納する手段を備え、緊急発生時に、前記緊急通報優先表の前記優先度情報が設定されていない前記子機に対しては、最後に充電が行われた前記充電台によって該当子機の配置された位置を特定し、優先順序を前記緊急通報優先表の前記位置優先度に応じて決定することを特徴とする請求項１記載のマルチ子機コードレス電話機。
【請求項３】
前記親機は、前記緊急通報優先表の前記子機の配置情報である前記位置優先度に基づいて緊急通報順序を決定する際に、前記センサが通報する警報の種類に応じて危険な配置位置にある子機を優先することを特徴とする請求項２記載のマルチ子機コードレス電話機。
【請求項４】
前記親機は、前記緊急通報優先表の前記子機の配置情報である前記位置優先度に基づいて緊急通報順序を決定する際に、前記センサが通報する警報が発生した時間に応じて危険な配置位置にある子機を優先することを特徴とする請求項２記載のマルチ子機コードレス電話機。
【請求項５】
前記親機は、前記子機への緊急通報時に、前記緊急通報優先表の前記優先度情報が設定されていない前記子機に対しては、前記センサ等の情報によって住人の現在位置に応じて、前記子機への通報優先度を上げることを特徴とする請求項１記載のマルチ子機コードレス電話機。
【請求項６】
前記親機は、前記子機への緊急通報時に、前記緊急通報優先表の前記優先度情報が設定されていない前記子機に対しては、前記親機と前記子機への無線通信路の状態に応じて、前記子機の優先順序を上げることを特徴とする請求項１記載のマルチ子機コードレス電話機。
【請求項７】
前記親機は、前記子機への緊急通報時に、前記緊急通報優先表の前記優先度情報が設定されていない前記子機に対しては、前記子機への充電の状態に応じて、前記子機の優先順序を変えることを特徴とする請求項１記載のマルチ子機コードレス電話機。
【請求項８】
前記親機は、各子機で通話が行われた最終時刻を前記緊急通報優先表に記録する手段を備え、前記子機への緊急通報時に、前記緊急通報優先表の前記優先度情報が設定されていない前記子機に対しては、前記緊急通報優先表の各子機間での最終通話時間の記録に応じて、所定の時間内に通話記録があった前記子機を優先して通報することを特徴とする請求項１記載のマルチ子機コードレス電話機。
【請求項９】
前記親機は、前記子機への緊急通報時に、前記緊急通報優先表の前記優先度情報に基づいて前記親機と前記子機の無線通信路確立のタイムアウト時間を制御することを特徴とする請求項１記載のマルチ子機コードレス電話機。
【請求項１０】
前記子機は、前記親機からの緊急通報を受信した際に、警報を解除する手段を備え、前記親機は、前記子機への緊急通報時に、前記緊急通報優先表の前記優先度情報に基づいた通報が誤報などの場合に、高優先順の前記子機の警報の解除により、前記親機の低優先度の前記子機への不要な警報をなくすことを特徴とする請求項１記載のマルチ子機コードレス電話機。
【請求項１１】
前記親機は、前記子機を特定する子機識別子を前記緊急通報優先表に備え、高優先順の前記子機により警報が解除された場合に、すべての前記子機に対して警報解除を行った前記子機識別子を通知して誤警報の発生や解除の事実を知らせることを特徴とする請求項１０記載のマルチ子機コードレス電話機。
【請求項１２】
前記親機は、前記子機への緊急通報時に、前記緊急通報優先表の情報をすべての子機に通知し、前記子機は、他子機の情報とともに前記緊急通報優先表の情報を表示することを特徴とする請求項１記載のマルチ子機コードレス電話機。
【発明の詳細な説明】
【０００１】
【発明の属する技術分野】
本発明は、緊急事態の発生を複数の子機に逐次的に通知する場合の、子機間の順序制御を行う、セキュリティシステムに用いられるマルチ子機コードレス電話機に関するものである。
【０００２】
【従来の技術】
近年、家庭内に配置された複数のセンサを一括して管理するセキュリティ制御ボックス型のセキュリティシステムが社会環境の変化に伴って普及してきている。
【０００３】
さらに、このセキュリティシステムに一般に広く普及しているマルチ子機コードレス電話機を組み合わせることで、複数の子機へセキュリティシステムからの情報を表示したり、あるいは子機に緊急通報機能をもたせたりすることによって、セキュリティシステムをより有効に活用できるようになってきた。
【０００４】
以下、図面を参照しながら従来のセキュリティシステムに用いられるマルチ子機コードレス電話機について説明を行う。図２０は、従来のセキュリティシステムに用いられるマルチ子機コードレス電話機の構成を説明する図である。
【０００５】
図２０において、１０１はセキュリティボックス型セキュリティ装置であり、家庭内に配置された複数のセンサ１０４と有線あるいは無線によって接続されたセキュリティ制御装置１０３から構成される。１０２はセキュリティ制御装置１０３と通信路１１０を介して接続されるマルチ子機コードレス電話１０２であり、親機１０６と複数の子機１０７（ここではＮ台）と、充電台（図示せず）から構成され、親機１０６と複数の子機１０７はそれぞれアンテナ１０８および１０９を備え無線によって通信を行う。セキュリティ制御装置１０３は、電話線１１１によって公衆回線網１０５につながる。
【０００６】
以上のように構成された従来のセキュリティシステムに用いられるマルチ子機コードレス電話機について、以下その動作を説明する。
【０００７】
マルチ子機コードレス電話１０２は、（１）子機１０７および親機１０６がそれぞれセキュリティシステムの緊急通報装置として機能するか、あるいは（２）セキュリティ情報の視覚的あるいは音声的な表示装置として機能するかの２つの機能を持つ。
【０００８】
（１）緊急通報装置としての機能：親機１０６および各子機１０７にはマニュアルで入力できる緊急スイッチが備えられており、火災や侵入者発見などの緊急事態発生時にはユーザーが身近な親機あるいは子機の緊急スイッチを操作することによって、セキュリティ制御装置１０３へ緊急事態発生を通知する。親機１０６の場合には直接有線の通信路１１０によって情報が伝達され、子機１０７の場合にはいったん親機１０６へ無線によって情報が伝達されたのちに親機１０６を経由してセキュリティ制御装置１０３へ伝達される。
【０００９】
セキュリティ制御装置１０３はセンサ１０４からの緊急信号と同様にして、それら緊急事態発生の情報を公衆回線網１０５を介して、中央セキュリティセンターや警察や消防などの公共セキュリティ部門へ緊急事態発生の連絡を自動的に行う。
【００１０】
（２）表示装置としての機能：センサ１０４が緊急事態を検出した場合、その緊急信号はまずセキュリティ制御装置１０３へ伝えられる。セキュリティ制御装置１０３は緊急事態の発生を電話線１１１を介して公衆回線網経由し中央セキュリティセンターや公共セキュリティ部門へ連絡するとともに、通信路１１０を経由してマルチ子機コードレス電話１０２の親機１０６へ緊急事態の発生情報を伝える。
【００１１】
親機１０６はこの情報を無線通信路を介して複数存在する子機１０７のすべてあるいは一部に伝え、情報を受け取った子機１０７はそれを視覚的あるいは音声的に表示する。
【００１２】
表示装置として機能する際、子機１０７において単に火災発生などを知らせる警報音を鳴らす場合や、あるいは単に短い定型メッセージを表示する場合などのように、親機１０６から複数の子機１０７に対して無線通信路上で同時に情報を伝達できる場合と、あらかじめ録音された緊急メッセージを子機１０７において流す場合や、比較的長い非定形の表示を行う場合などのように親機１０６から一つ一つの子機１０７（あるいは子機のグループ）に対して逐次的な情報の伝達を行わなければならない場合がある。
【００１３】
この時の情報伝達の順序はあらかじめ子機１０７ごと（あるいは子機グループ毎）に固定して決められている。
【００１４】
特許文献１には、簡易陸上移動無線電話システムに関し、緊急時状態でも優先移動機に対しては接続を極力保証する緊急優先通話方式が開示されている。すなわち、各加入移動機が無制限に通話可能な通常時状態モ−ドと、各加入移動機に優先移動機と一般移動機との種別を設定して網側が各加入移動機の種別を認識可能にする緊急時状態モ−ドがあり、緊急時状態モ−ドでは優先移動機の発呼のみを接続するように制御する。
【００１５】
【特許文献１】
特開平０７−２２２２４６号公報
【００１６】
【発明が解決しようとする課題】
親機から複数の子機に対して逐次的な情報伝達が必要な、あらかじめ録音された緊急メッセージを親機から子機へ流す場合や、比較的長い非定形の表示を行う場合は、子機（あるいは子機グループ）間で無線通信路を切り替えていく手順が必要になる。
【００１７】
しかし、無線通信路による情報伝達においてはそれぞれの子機の位置や電波ノイズなどの周辺環境によって通信が不安定になりやすいため、一般に無線通信路の切り替えに時間を要する。このため、従来のように情報の伝達順序が子機（あるいは子機グループ）に固定で決められている場合には、ある子機（あるいは子機グループ）の無線通信路確立に時間がかかる。
【００１８】
従って、それ以降の子機（あるいは子機グループ）への情報伝達が遅れてしまうという問題が生じる。これは、親機−子機間で同時に確立できる無線通信路数が一般に全子機数よりも少ないという物理的な制約に起因するものであり、十分な数の無線通信路が備えられない限り解決できない問題である。
【００１９】
しかしながら、セキュリティシステムにおいては緊急情報の通知の遅れは人命にかかわる場合もあり何らかの改善策が必要である。
【００２０】
本発明は、上記従来の課題に鑑み、緊急度の高い子機に対し優先して緊急情報を伝達することを特徴とするセキュリティシステムに用いられるマルチ子機コードレス電話機を提供することを目的とする。
【００２１】
【課題を解決するための手段】
本発明は上記従来の課題を解決するために、センサにより火災や侵入者を検知するセキュリティ制御装置に接続される、親機と子機からなるセキュリティシステムに用いられるマルチ子機コードレス電話機において、子機の配置場所や使用頻度などに応じて子機間で緊急情報伝達順序を設定できるようにすることにより、緊急度の高い子機に対し優先して緊急情報を伝達することができるセキュリティシステムに用いられるマルチ子機コードレス電話機を提供することができるようになった。
【００２２】
【発明の実施の形態】
本発明の請求項１に記載の発明は、センサにより火災や侵入者を検知するセキュリティ制御装置に接続され、親機と子機からなるセキュリティシステムに用いられるマルチ子機コードレス電話機において、親機は、緊急発生時に複数の子機へ緊急情報の通信順序を決めるための優先度情報を含む緊急通報優先表を備え、緊急通報優先表は、子機の配置場所などに応じて優先度情報が適時設定可能であることを特徴とするものであり、より緊急を要する子機における緊急通報の遅延を短縮できるという作用を有する。
【００２３】
請求項２に記載の発明は、子機は、固有の充電番号情報を有する充電台から、充電番号情報を取得する手段と、取得した充電番号情報を親機に送信する手段とを備え、親機は、充電番号情報を受信して、緊急通報優先表に充電台位置より優先度を示す位置優先度として格納する手段を備え、緊急発生時に、緊急通報優先表の優先度情報が設定されていない子機に対しては、最後に充電が行われた充電台によって該当子機の配置された位置を特定し、優先順序を緊急通報優先表の位置優先度に応じて決定することを特徴とする請求項１記載のマルチ子機コードレス電話機とするものであり、子機の移動による配置場所の変化にかかわらず、緊急を要する配置場所への緊急通報の遅延を短縮できるという作用を有する。
【００２４】
請求項３に記載の発明は、親機は、緊急通報優先表の子機の配置情報である位置優先度に基づいて緊急通報順序を決定する際に、センサが通報する警報の種類に応じて危険な配置位置にある子機を優先することを特徴とする請求項２記載のマルチ子機コードレス電話機とするものであり、警報の種類ごとに緊急を要する配置場所への緊急通報の遅延を短縮できるという作用を有する。
【００２５】
請求項４に記載の発明は、親機は、緊急通報優先表の子機の配置情報である位置優先度に基づいて緊急通報順序を決定する際に、センサが通報する警報が発生した時間に応じて危険な配置位置にある子機を優先することを特徴とする請求項２記載のマルチ子機コードレス電話機とするものであり、警報発生時間に応じて緊急を要する配置場所への緊急通報の遅延を短縮できるという作用を有する。
【００２６】
請求項５に記載の発明は、親機は、子機への緊急通報時に、緊急通報優先表の優先度情報が設定されていない子機に対しては、センサ等の情報によって住人の現在位置に応じて、子機への通報優先度を上げることを特徴とする請求項１記載のマルチ子機コードレス電話機とするものであり、住人の最新の位置を把握することができ、緊急を要する配置場所への緊急通報の遅延を短縮できるという作用を有する。
【００２７】
請求項６に記載の発明は、親機は、子機への緊急通報時に、緊急通報優先表の優先度情報が設定されていない子機に対しては、親機と子機への無線通信路の状態に応じて、子機の優先順序を上げることを特徴とする請求項１記載のマルチ子機コードレス電話機とするものであり、無線通信路確立に多くの時間を要する子機を後回しにすることによって、リンク状態が良好な子機の順番待ちの時間を少なくし、一定時間内でより多くの子機に通報できるようになるという作用を有する。
【００２８】
請求項７に記載の発明は、親機は、子機への緊急通報時に、緊急通報優先表の優先度情報が設定されていない子機に対しては、子機への充電の状態に応じて、子機の優先順序を変えることを特徴とする請求項１記載のマルチ子機コードレス電話機とするものであり、電池残量がより多い子機に対する通報を後回しにすることによって、電池残量が少ない子機が通報の順番待ちの時間に電池切れになってしまう事態を起きにくくするという作用を有する。
【００２９】
請求項８に記載の発明は、親機は、各子機で通話が行われた最終時刻を緊急通報優先表に記録する手段を備え、子機への緊急通報時に、緊急通報優先表の優先度情報が設定されていない子機に対しては、緊急通報優先表の各子機間での最終通話時間の記録に応じて、所定の時間内に通話記録があった子機を優先して通報することを特徴とする請求項１記載のマルチ子機コードレス電話機とするものであり、最も最近に使用された子機に対する通報を優先することによって、住人のいる可能性が高い子機への緊急通報の待ち時間を短縮できるという作用を有する。
【００３０】
請求項９に記載の発明は、親機は、子機への緊急通報時に、緊急通報優先表の優先度情報に基づいて親機と子機の無線通信路確立のタイムアウト時間を制御することを特徴とする請求項１記載のマルチ子機コードレス電話機とするものであり、優先度の高い子機はより長い時間をかけて無線通信路確立を行うことで、重要な子機にもかかわらず通信が行われないという問題を起こりにくくすることができ、また低優先度の子機に対するタイムアウト時間を短くすることで緊急通報全体に要する時間をむやみに増加させないという作用を有する。
【００３１】
請求項１０に記載の発明は、子機は、親機からの緊急通報を受信した際に、警報を解除する手段を備え、親機は、子機への緊急通報時に、緊急通報優先表の優先度情報に基づいた通報が誤報などの場合に、高優先順の子機の警報の解除により、親機の低優先度の子機への不要な警報をなくすことを特徴とする請求項１記載のマルチ子機コードレス電話機とするものであり、明らかに誤報と判断できた時に警報解除を行い他の子機へ余分な警報通知を行わないことにより、不要な緊急通報による電話機能の制限時間を短くでき、また他の住人に不要な警報を与えないという作用を有する。
【００３２】
請求項１１に記載の発明は、親機は、子機を特定する子機識別子を緊急通報優先表に備え、高優先順の子機により警報が解除された場合に、すべての子機に対して警報解除を行った子機識別子を通知して誤警報の発生や解除の事実を知らせることを特徴とする請求項１０記載のマルチ子機コードレス電話機とするものであり、住人は誤警報の発生や解除の事実を知ることができ、正当な中断処理であるか故障による異常あるいは不正な中断であるかを判断できるという作用を有する。
【００３３】
請求項１２に記載の発明は、親機は、子機への緊急通報時に、緊急通報優先表の情報をすべての子機に通知し、子機は、他子機の情報とともに緊急通報優先表の情報を表示することを特徴とする請求項１記載のマルチ子機コードレス電話機とするものであり、すべての住人は全ての子機の優先度を把握することができるため、自分が希望しない優先度に設定された場合には再度設定し直したり、誤った設定や使用状況に合わない設定を即座に見出し修正することができるという作用を有する。
【００３４】
以下、本発明の実施の形態について、図面を参照しながら説明する。
【００３５】
（実施の形態１）
図１は、本発明の実施の形態１に係るセキュリティシステムに用いられるマルチ子機コードレス電話機の構成図である。図１において、セキュリティシステムは、Ｎ台の子機２００と、子機２００を充電する充電台（図示せず）と、１台の親機２２７が無線通信路によって接続されたマルチ子機コードレス電話機２２８と、複数のセンサ２１３が接続されたセキュリティ制御部２１０とから構成される。
【００３６】
親機２２７は、セキュリティ制御部２１０と電話回線２１４およびセキュリティ信号線２１５によってセキュリティ制御部２１０に接続され、セキュリティ制御部２１０は電話線２１２によって公衆回線網２１１に接続する。
【００３７】
子機２００は、それぞれアンテナ２０１と、無線部２０２と、制御部２０３と、識別情報２０５を保持するメモリ部２０４と、表示部２０６と、入力部２０７と、音声出力部２０８と、音声入力部２０９から構成される。
【００３８】
また、親機２２７は、電話回線部２１６と、セキュリティ信号入出力部２１７と、アンテナ２１８と、無線部２１９と、制御部２２０と、表示部２２１と、入力部２２２と、音声出力部２２３と、音声入力部２２４と、子機識別情報とそれに対応する優先度情報からなる緊急通報優先表２２６を保持するメモリ部２２５から構成される。
【００３９】
ドアの開閉を検出するドアセンサや移動物を検出するモーションセンサあるいは煙検知機などを含むセンサ２１３は家屋内の要所に配置され、家屋内の比較的安全な場所に設置されたセキュリティ制御部２１０に有線あるいは無線通信路によって接続されている。
【００４０】
一方、親機２２７は通常状態では電話線２１４とセキュリティ制御部２１０と電話線２１２を経由して公衆回線網２１１に接続された電話機として機能するため、住人が普段生活している居室等に配置される。さらに、１台の親機２２７に対して子機２００を複数備えることができるため、それぞれの子機２００は、寝室や子供部屋など分散して配置される。
【００４１】
通常、子機２００は、２次電池にて電力が供給されるため、２次電池の充電のために充電器（充電台）が必要であり、子機２００の１台に対して１台の充電台が子機２００と同一の場所に配置される。
【００４２】
これらのものが有線あるいは無線によって接続され、家庭内セキュリティシステムを構成している。
【００４３】
以上のように構成されたセキュリティシステムに用いられるマルチ子機コードレス電話機について、以下にその動作を説明する。
【００４４】
センサ２１３のひとつが異常状態（例えば初期の火災による煙）を検知した場合、まずその異常はセキュリティ制御部２１０に通知される。異常を認識したセキュリティ制御部２１０は、電話線２１２によって公衆回線網２１１経由であらかじめ契約したセキュリティ会社の中央センターあるいは消防署などの公共緊急センターへ異常を自動的に連絡する（もしこのときマルチ子機コードレス電話機２２８が電話線２１２を使用していればセキュリティ制御部２１０によって回線の切り替え処理が発生するが、この処理について説明は省略する）。
【００４５】
これと同時に、セキュリティ制御部２１０は家屋内の住人に異常発生を伝えるためセキュリティ信号線２１５を経由して親機２２７に警報信号を送る。
【００４６】
親機２２７はセキュリティ信号入出力部２１７を介して警報信号を受け取り、制御部２２０の制御のもとに親機２２７自体の表示部２２１（あるいは音声出力部２２３）に異常を伝えるメッセージを表示する（あるいはメッセージを流す）。
【００４７】
これに加えて、分散して配置された子機２００へ警報メッセージを伝達しなければならない。このとき、一つ一つの子機（あるいは子機のグループ）に対して逐次的な情報の伝達を行わなければならない場合に本特許の効果が生じる。
【００４８】
警報メッセージは、制御部２２０によって無線信号に変換され、無線部２１９を制御してアンテナ２１８を経由して子機２００へ送信される。ただし、この場合には逐次的な伝達となるため警報メッセージを送り先の子機２００を特定するために、警報メッセージを含む無線信号には子機２００を識別する識別情報２０５が含まれる。逐次的な送信では、この識別情報２０５を各子機２００が持つ値に設定しながら警報メッセージを順次送信してゆく。
【００４９】
しかし、従来のセキュリティシステムでは、子機の選択順序（優先順序）は、マルチ子機コードレス電話機２２８を設置する時に決定されていたため、実際の子機２００の使用状態にかかわらず警報メッセージの送信順序（優先順序）は固定されてしまっていた。
【００５０】
このため、最もよく利用する部屋に配置されている子機２００の選択順序が遅い場合には、そこに警報メッセージを送信する順番が後回しになってしまい、結果として住人への警報が遅れてしまう問題があった。
【００５１】
本実施の形態では、親機２２７のメモリ部２２５内に緊急通報優先表２２６を保持することによって、子機２００毎に緊急通報の順序を設定することを可能にする。住人が親機２２７の入力部２２２から子機識別情報とそれに対応する優先度を入力すると、制御部２２０はメモリ部２２５内の識別情報とそれに対応する優先度を更新する。
【００５２】
例えば、通常は、住人が最もよく利用する居間あるいはそれ近くに配置した子機を高い優先度に設定し、バスタイムには浴室近くの子機、仕事中は書斎のコードレス電話子機などと、住人の生活に応じて適切に設定できる。
【００５３】
この設定は親機２２７の入力部２２２からだけでなく、無線通信路で接続されている子機２００の入力部２０７からの設定も可能である。
【００５４】
警報メッセージを送信する必要が生じた場合には、制御部２２０はメモリ部２２５内の緊急通報優先表２２６を参照して、優先度の高い子機を検索し、順に警報メッセージを送信する。緊急通報優先表２２６の構成例を図２に示す。
【００５５】
ここで、緊急通報優先表２２６は、子機２００の数に等しいエントリ数（ここではＮ台）をもち、各エントリは子機２００の識別情報を保持する識別情報フィールド２５０と、その子機２００の優先順位を示す優先度フィールド２５１、および緊急通報が完了したことを示す通報完了フラグフィールド２５２から構成される。
【００５６】
次に、本発明の実施の形態１に係るセキュリティシステムに用いられるマルチコードレス電話機の親機における緊急通報処理の手順の詳細を、図３を用いて説明する。緊急事態が発生し緊急通報が開始すると（Ｓ１０）、制御部２２０は緊急通報優先表２２６を参照し、その通報完了フラグフィールド２５２の通報完了フラグがすべての子機についてセットされているかを制御部２２０がチェックする（Ｓ１１）。
【００５７】
もし、すべての子機２００の通報完了フラグフィールド２５２の通報完了フラグについて、セットされていればすべての子機２００について緊急通報が完了していることを意味しているため、制御部２２０は、通報完了フラグをリセット（Ｓ１２）して緊急通報処理を終了（Ｓ１３）する。
【００５８】
処理開始時には１台以上の緊急通報未完了の子機２００がある。したがって、通報完了フラグフィールド２５２の通信完了フラグがセットされていないエントリを対象として、各優先度フールド２５１の中から最も高い優先度をしめすエントリを制御部２２０が選択する（Ｓ１４）。
【００５９】
ここで、例えば各エントリの優先度フィールド２５１には優先度の高いものから順に１からＮの数値が割り当てられている。こうして選択されたエントリの識別情報フィールド２５０の値が緊急通報をおこなうべく選択された子機２００の識別情報フィールド２５０の識別情報となる。
【００６０】
次に制御部２２０は、無線部２１９を制御して選択した子機２００との無線通信路の確立を試みる（Ｓ１５）。この無線通信路の確立は前述のように周辺環境等の影響によって確立に時間が長い時間を要したり、あるいは確立ができない場合がある（Ｓ１６）。このため、選択した子機２００に対する無線通信路確立のための最大待ち時間（たとえば３０秒）を設定する。累積時間がこの時間を超えない限り無線通信路確立を試み続ける（Ｓ１７）。制御部２２０は、この時間を超えた場合にはタイムアウトとして処理してＳ１９へ移行する。
【００６１】
タイムアウトした子機２００の取り扱いについては、ひととおり全子機２００への緊急通報の試みが終了した後で再度通信確立を試みる方法もあるが、ここでは説明を簡略化するために、タイムアウトした子機２００については緊急通報が完了したものとみなし緊急通報を行わないようにしている。
【００６２】
したがって、最大待ち時間の間に無線通信路が確立したものについては緊急通報メッセージがアンテナ２１８を介して子機２００へ伝達される（Ｓ１８）。
【００６３】
選択した子機２００について緊急通報が完了するかタイムアウトしたものについては、該当エントリの通報完了フラグフィールド２５２が、制御部２２０により、セットされる（Ｓ１９）。
【００６４】
こうして、制御部２２０は、選択した子機２００についての緊急通報処理は完了し、次の通信未完了の子機２００を選択をして、以下、Ｓ１２へ移行して同様の処理が繰り返される。
【００６５】
一方、子機２００においては、制御部２０３はアンテナ２０１および無線部２０２を経由して受信された無線信号中の識別情報と、メモリ部２０４中に保持されている識別情報２０５を比較し、一致した場合には無線信号に含まれる警報メッセージを解読し、表示部２０６（あるいは音声出力部２０８）に異常を伝える適切なメッセージを表示する（あるいはメッセージを流す）。
【００６６】
以上のように本実施の形態によれば、複数の子機の緊急時の通報順序が変更可能であるため、子機の使用状況に合わせて、より緊急を要する子機における緊急通報の遅延を短縮できるという効果が生じる。
【００６７】
（実施の形態２）
図４は、本発明の実施の形態２に係るセキュリティシステムに用いられるマルチ子機コードレス電話機の子機の構成図である。
【００６８】
図４において、本実施の形態での子機３００の構成は、図２での子機２００と基本的な構成は同じであり、アンテナ２０１と、無線部２０２と、表示部２０６と、入力部２０７と、音声出力部２０８と、音声出力部２０９は同じ機能を備えているため同一符号を付して説明は省略する。また、電話回線部２１６およびセキュリティ信号入出力部２１７は、便宜上、図４では省略した。
【００６９】
本実施の形態での子機３００は、充電番号入力端子３１２と充電番号取得部３１１と、メモリ部３０４中に識別情報３０５と充電番号情報３１０と、子機３００全体を制御する制御部３０３を備えている。
【００７０】
また、充電台３１６においては、充電番号出力端子３１３と充電番号保持部３１４と電源入力部３１５から構成される。
【００７１】
親機などのこれら以外の構成要素は図１と同様であるが、親機のメモリ部２２５内に保持される緊急通報優先表２２６の構成は、本実施の形態においては図５に示す構成をとる。
【００７２】
緊急通報優先表３５５は、子機３００の数に等しいエントリ数（ここではＮ台）を持ち、各エントリは子機３００の識別情報を保持する識別情報フィールド３５０とその子機３００の優先順位を示す優先度フィールド３５１および緊急通報が完了したことを示す通報完了フラグフィールド３５２と、優先度フィールド３５１の最新の更新があったことを示す設定フラグフィールド３５３と、充電台位置による優先度を示す位置優先度フィールド３５４から構成される。さらに親機２２７のメモリ部２２５には位置優先度変換表３４０が保持される。
【００７３】
図６に示すように位置優先度変換表３４０は、子機３００の数（すなわち充電台３１６の数）に等しいエントリ数（ここではＮ台）をもち、充電番号フィールド３４１と位置優先度フィールド３４２によって構成される。
【００７４】
以上のように構成された、本発明の実施の形態２に係るセキュリティシステムに用いられるマルチ子機コードレス電話機について、以下その動作を説明する。
【００７５】
実施の形態１では、緊急通報優先表２２６として保持される子機の優先度情報を住人が適切に設定することにより、緊急を要する子機における緊急通報の遅延を短縮することを目的とした。
【００７６】
しかし、多くの子機をもつマルチ子機コードレス電話機においては、住人がすべての子機の優先順序を状況の変化に応じてその都度設定することよりも、優先して緊急通報したい子機（１台から数台）についてのみ優先順序の設定を行うことが一般的である。
【００７７】
この場合には、住人により優先順序が設定されていない子機においては、それらの優先順序はセキュリティシステムを導入した時点のデフォルトの順序か、あるいは住人が過去に設定した優先順序のままになっており、いずれの場合も住人の現時点での生活状況に合致しないため、それらの子機の優先順序が適切でなくなっている可能性がある。
【００７８】
特に、子機は配置場所に固定して用いるものではなく、住人が家庭内を自由に移動しながら使うものであるため、２台の子機配置場所がお互いに入れ替わってしまうこともあり得る。
【００７９】
実施の形態２では、子機と組み合わせて使用される充電台が配置場所に固定されている（商用電源のコンセントに接続されている）ため通常は配置場所が移動しない点に着目して、ある充電台にて充電を行った子機の配置位置を充電台の配置位置とみなす。親機はこれにより子機の配置位置を把握することができ、この位置情報を利用して緊急通報の優先順位を決定する。
【００８０】
以下、具体的な動作内容を（１）充電台の位置情報の子機への取り込み、（２）子機から親機への位置情報の伝達、（３）親機における子機の位置情報の把握、（４）優先順序の決定の順に説明する。
【００８１】
（１）充電台の位置情報は図４に示すように、充電台３１６の内部の充電番号保持部３１４に保持される。
【００８２】
例えば、Ｎ台の子機がある場合にはＮ台の充電台３１６があり、それらの位置情報は１〜Ｎの充電番号として表現される。充電台３１６の充電番号は、子機３００が充電台３１６に置かれた時点で、充電台３１６側の充電番号出力端子３１３と、子機３００側の充電番号入力端子３１２が接触し、充電番号取得部３１１を経由して制御部３０３の制御により、子機３００の充電番号取得部３１１にメモリ部３０４中に充電番号情報３１０として保存される。
【００８３】
この充電番号情報３１０は子機３００が充電台３１６に置かれるたびに、対応する充電番号情報に更新される（図４中では充電台が固定されていることを明らかにするため、商用電源コンセントである電源入力部３１５を表記しているが、充電回路部分を含めたその他の構成要素については、省略している。）。
【００８４】
（２）子機３００の充電番号取得部３１１により、メモリ部３０４に保存された充電番号情報３１０は、コードレス電話機で一般的に行われている非通話時における定期的（数秒毎）な無線通信路の確認手順において、子機３００の無線部２０２およびアンテナ２０１を経由して親機２２７に伝達される。
【００８５】
（３）親機２２７に伝達された各子機３００の充電番号情報３１０は、メモリ部２２５の位置優先度変換表３４０を用いて位置優先度フィールド３４２に変換され、緊急通報優先表３５５の対応するエントリの位置優先度フィールド３５４に保存される。
【００８６】
位置優先度変換表３４０は、充電番号フィールド３４１とその位置優先度フィールド３４２を対応づける表であり、位置優先度フィールド３４２は充電台３１６の配置位置に基づく優先順序をあらわす。
【００８７】
例えば、Ｎ台の充電台３１６に対しては、１〜Ｎの数値で表現され、３台の子機３００（すなわち３台の充電台）を持つコードレス電話機において、充電番号２の充電台３１６が、住人が最もよく利用する部屋に配置され、充電番号１の充電台が住人が次によく利用する部屋に配置され、充電番号３の充電台がほとんど利用されない部屋に配置された場合には、充電番号１，２，３についてそれぞれ２，１，３の位置優先度となる。位置優先度変換表３４０は充電台３１６の配置時に設定され、充電台３１６の配置が変わらない限り変更されない。
【００８８】
（４）子機３００が、３台の場合の優先順位の決定手順を、図７を用いて説明する。
【００８９】
▲１▼充電台３１６を配置済みデフォルト状態：子機３００の３台に関して、優先度はデフォルト（子機識別番号順）である。このときの各子機３００の識別情報フィールド３５０の識別情報と、それぞれの最終充電時の充電番号フィールド３４１の充電番号の対応は、子機１と充電番号１、子機２と充電番号２、子機３と充電番号３のデフォルト状態であるため、緊急通報優先表は図７に示すように、充電台位置による優先度を示す位置優先度フィールド３５４となる。
【００９０】
この状態での緊急通報が発生した場合の通信順序は、位置優先度フィールド３４２の位置優先度に従って子機２→子機１→子機３の順序となる。
【００９１】
▲２▼優先順設定後の状態：▲１▼の状態から、住人によって子機３について最初に通報するように設定変更があった状態をしめす。子機３のエントリの設定フラグフィールド３５３が１になり、優先度の設定変更がなされたことを示す。子機３の優先度は最優先を示す１となって、その結果残りの子機の優先度は順送りになり、子機２は２、子機１は３の優先度となる。子機と最終充電時の充電番号の対応は変化していない。この状態で、緊急通報が発生した場合の通信順序は、優先順位を示す優先度フィールド３５１に従い、子機３→子機２→子機１の順序となる。
【００９２】
▲３▼子機の位置変更後の状態：▲２▼の状態から図８に示すように子機１と子機２の配置位置（セキュリティエリア）が入れ替わった状態では、移動後の充電によって子機１には充電台２の充電番号が保存され、子機２には充電台１の充電番号が保存されている。この結果、図７のように緊急通報優先表の位置優先度フィールド３５４が変更される。この状態で、緊急通報が発生した場合の通信順序は、子機３→子機１→子機２の順となり、住人により優先して設定された子機３を除いて、より住人が利用する充電台２にある子機１が子機２よりも優先される。
【００９３】
以上のように本実施の形態によれば、子機の移動による配置場所の変化にかかわらず、緊急を要する配置場所への緊急通報の遅延を短縮できるという効果が生じる。
【００９４】
（実施の形態３）
実施の形態２では、充電台の位置によって子機の配置を把握し、それに基づいて緊急通報順序を決定することを特徴としていた。しかし、緊急通報の種類にかかわらず通報順序が子機の配置場所によって固定して決められているため、警報によっては必ずしも緊急を要する場所の子機へ優先して通報されるとは言えなかった。
【００９５】
この問題を解決するため、実施の形態３では、図９に示すように、親機２２７のメモリ部２２５に、警報の種類ごとに異なる位置優先度情報を持つ位置優先度変換表４４０と、図１０に示すような緊急通報優先表４５６を構成することによって、警報の種類ごとに異なる位置優先度情報を保持することを特徴とする。
【００９６】
このとき位置優先度変換表４４０は、子機３００の数（すなわち充電台３１６の数）に等しいエントリ数（ここではＮ台）を持ち、充電番号フィールド４４１と警報の種類数に等しい数（ここではＭ種）の位置優先度フィールド４４２〜４４４によって構成される。
【００９７】
緊急通報優先表４５６は、実施の形態２と同様に子機の数に等しいエントリ数（ここではＮ台）を持ち、各エントリは子機の識別情報を保持する識別情報フィールド４５０とその子機の優先順位を示す優先度フィールド４５１および緊急通報が完了したことを示す通報完了フラグフィールド４５２と、優先度フィールド４５１の最新の更新があったことを示す設定フラグフィールド４５３から構成され、さらに警報の種類ごと（ここではＭ種）に充電台位置による優先度を示す位置優先度フィールド４５４、４５５から構成される。その他の構成は実施の形態２と同様である。
【００９８】
以上のように構成されたセキュリティシステムに用いられるマルチ子機コードレス電話機について、以下その動作を説明する。
【００９９】
例えば、図１１のように家屋内の３つの部屋に火災の発生を検知する煙センサ１〜３がそれぞれ備えられているとする。このとき、煙センサ１〜３の警報をそれぞれ警報種１〜３用位置優先度に対応させることによって、火災発生場所に応じて各子機に対して緊急通報を適切に送ることができる。
【０１００】
位置優先度変換表４４０を、図に示すように火災が近くの子機から優先して通報するように設定しているとする（ただし真中の部屋２から火災の場合は部屋１が部屋３に優先）。また、緊急通報優先表４５６は住人による優先度の設定のないデフォルト状態であるが、子機２と子機３がお互いに移動した結果を反映した状態となっている。
【０１０１】
このような状態において、それぞれの煙センサからの警報を通報する順序は、
１）  警報種１（煙センサ１による警報のときの通報順序）：
子機１→子機３→子機２
２）  警報種２（煙センサ２による警報のときの通報順序）：
子機３→子機１→子機２
３）  警報種３（煙センサ３による警報のときの通報順序）：
子機２→子機１→子機３
となり、子機の移動にかかわらず火災の発生場所に応じて、各部屋の子機に対して適切な順序で警報を通報することができる。
【０１０２】
以上のように本実施の形態によれば、警報の種類に応じて通報順序を変えることで、緊急を要する配置場所への緊急通報の遅延を短縮できるという効果が生じる。
【０１０３】
（実施の形態４）
実施の形態２では、充電台の位置によって子機の配置を把握し、それに基づいて緊急通報順序を決定することを特徴としていた。しかし、緊急通報の発生時間にかかわらず通報順序が子機の配置場所によって固定して決められているため、必ずしも緊急を要する場所の子機へ優先して通報されるとは言えなかった。この問題を解決するため、実施の形態４では、図１２に示すような警報の発生時間帯ごとに異なる位置優先度情報を持つ位置優先度変換表５４０と、図１３に示すような緊急通報優先表５５６を構成することによって、警報の発生時間帯ごとに異なる位置優先度情報を保持することを特徴とする。
【０１０４】
このとき位置優先度変換表５４０は、子機の数（すなわち充電台の数）に等しいエントリ数（ここではＮ台）を持ち、充電番号フィールド５４１と警報の時間帯数に等しい数（ここではＭ種）の位置優先度フィールド５４２〜５４４によって構成される。緊急通報優先表５５６は、実施の形態２と同様に子機の数に等しいエントリ数（ここではＮ台）を持ち、各エントリは子機の識別情報を保持する識別情報フィールド５５０とその子機の優先順位を示す優先度フィールド５５１および緊急通報が完了したことを示す通報完了フラグフィールド５５２と、優先度フィールド５５１の最新の更新があったことを示す設定フラグフィールド５５３から構成され、さらに警報の発生時間帯ごと（ここではＭ種）に充電台位置による優先度を示す位置優先度フィールド５５４〜５５５から構成される。その他の構成は実施の形態２と同様である。
【０１０５】
以上のように構成されたセキュリティシステムに用いられるマルチ子機コードレス電話機について、以下その動作を説明する。
【０１０６】
例えば、警報発生の時間帯を住人の生活時間に対応させて、住人が起きている時間ＡＭ６：００〜ＰＭ２２：００（時間帯１）と、住人が寝ているそれ以外の時間（時間帯２）の２つに分ける場合とする。この場合、位置優先度変換表５４０において、時間１用位置優先度フィールドは住人が起きている時間（時間帯１）に利用する可能性が高い居間などの部屋を優先する順序を設定し、時間２用位置優先度フィールドは時間帯２に使用される寝室などの部屋を優先する順序を設定するようにする。
【０１０７】
このとき緊急通報優先表５５６は実施の形態３と同様に位置優先度変換表５４０の内容が反映される。この状態で、警報が発生した場合には、警報の発生時間に応じてその時間帯の位置優先度が選択され、昼間ならば居間を優先して、夜間ならば寝室を優先してというように、緊急を要する部屋を優先して通報をおこなうことができる。あるいはまた、警報発生の時間帯ではなく、警報発生の曜日などで優先度を設定することによって住人の１週間の生活習慣に合わせた設定も可能である。
【０１０８】
以上のように本実施の形態によれば、警報の発生時間に応じて通報順序を変えることで、緊急を要する配置場所への緊急通報の遅延を短縮できるという効果が生じる。
【０１０９】
（実施の形態５）
実施の形態５では各部屋に設置された移動体センサなどによる住人の位置を示す情報を利用することで、住人がいる可能性が高い部屋の子機への通報を優先して行う。図１４は本発明の実施の形態５に係るセキュリティシステムに用いられるマルチ子機コードレス電話機の構成図である。
【０１１０】
図１４において、本実施の形態での子機６００の構成は図１での子機２００と基本的な構成は同じであり、アンテナ２０１と、無線部２０２と、表示部２０６と、入力部２０７と、音声出力部２０８と、音声入力部２０９は同じ機能を備えているため同一符号を付して説明は省略する。また、電話回線部２１６およびセキュリティ信号入出力部２１７は、便宜上、図１４では省略した。
【０１１１】
本実施の形態での子機６００は、センサ情報入力端子６１２と、センサ情報取得部６１１と、制御部６０３と、識別情報６０５とセンサ情報６１０を保持するメモリ部６０４とを備えている。
【０１１２】
また、充電台６１７においては、センサ情報出力端子６１３とセンサ情報入力部６１６からのセンサ情報を保持するセンサ情報保持部６１４と電源入力部６１５から構成される。センサ情報入力端子６１２には、移動体センサなどのセンサ（図示せず）が接続される。
【０１１３】
親機（図示せず）などのこれら以外の構成要素は図１と同様であるが、親機のメモリ部２２５内に保持される緊急通報優先表２２６の構成は、本実施の形態５においては、図１５に示す構成をとる。
【０１１４】
緊急通報優先表６５５は、子機６００の数に等しいエントリ数（ここではＮ台）を持ち、各エントリは子機６００の識別情報を保持する識別情報フィールド６５０とその子機６００の優先順位を示す優先度フィールド６５１および緊急通報が完了したことを示す通報完了フラグフィールド６５２と、優先度フィールド６５１の最新の更新があったことを示す設定フラグフィールド６５３と、センサ情報および時間情報を示すセンサ情報フィールド６５４から構成される。
【０１１５】
以上のように構成された、セキュリティシステムに用いられるマルチ子機コードレス電話機について、その具体的な動作内容を（１）充電台へセンサ情報の取り込み、（２）充電台から子機から情報の伝達、（３）親機におけるセンサ情報の把握、（４）優先順序の決定の順に説明する。
【０１１６】
（１）移動体センサなどが設置されている部屋などで住人がいることを検知した場合、その検知情報はセンサ情報として充電台６１７へ送られる。充電台６１７はセンサ情報をセンサ情報入力部６１６から取り込み、センサ情報保持部６１４に保存する。センサ情報には、住人の動きなどを検出したことを示すフラグと検出した時間を示す情報が含まれる。このセンサ情報はセンサによる検知がなされる毎に最新の情報に更新される。
【０１１７】
（２）センサ情報保持部６１４に保持されたセンサ情報は子機６００が充電台６１７に置かれるたびに、センサ情報出力端子６１３およびセンサ情報入力端子６１２を経由して、センサ情報取得部６１１によって子機６００に取り込まれる。
【０１１８】
子機内では、制御部６０３の制御によってセンサ情報はメモリ部６０４中にセンサ情報６１０として保存される。
【０１１９】
（３）センサ情報６１０は識別情報６０５とともに、コードレス電話機で一般的に行われている非通話時における定期的（数秒毎）な無線通信路の確認手順において、子機６００無線部２０２およびアンテナ２０１を経由して親機に伝達される。親機では、このセンサ情報を緊急通報優先表６５５の識別情報に対応したセンサ情報フィールド６５４に格納する。
【０１２０】
（４）緊急通報を行う場合、実施の形態２と同様に住人による設定を優先するため、親機はまず緊急通報優先表６５５の設定フラグフィールド６５３がセットされている子機６００に対して通報を行う。
【０１２１】
次に設定フラグフィールド６５３がセットされていない子機６００に対し、そのセンサ情報フィールド６５４に含まれる時間情報が最新のものから優先して通報を行う。
【０１２２】
以上のように本実施の形態によれば、住人の最新の位置を把握することができ、緊急を要する配置場所への緊急通報の遅延を短縮できるという効果が生じる。
【０１２３】
（実施の形態６）
本発明の実施の形態６に係るセキュリティシステムに用いられるマルチコードレス電話機では、子機への無線通信路の状態を親機が予め把握し、無線通信路のリンク状態情報を基に優先順序を決定することで、無線通信路確立に要する時間が少ない子機への通報を優先して行う。本実施の形態６の構成は、図１に示した構成と基本的に同一であるが、親機のメモリ部２２５内に保持される緊急通報優先表２２６の構成が異なり、図１６に示す構成となる。ここで、緊急通報優先表７５５は、子機の数に等しいエントリ数（ここではＮ台）を持ち、各エントリは子機の識別情報を保持する識別情報フィールド７５０と、その子機の優先順位を示す優先度フィールド７５１と、緊急通報が完了したことを示す通報完了フラグフィールド７５２と、優先度フィールド７５１の最新の更新があったことを示す設定フラグフィールド７５３と、子機との無線通信路の状態を示すリンク情報フィールド７５４から構成される。
【０１２４】
以上のように構成された本発明の実施の形態６に係るセキュリティシステムに用いられるマルチ子機コードレス電話機について、その具体的な動作内容を（１）親機へのリンク情報の取り込み、（２）優先順序の決定の順に説明する。
【０１２５】
（１）コードレス電話機で一般的に行われている非通話時における定期的（数秒毎）な無線通信路の確認手順において、親機はある子機との無線通信路の状態の程度をリンク情報として把握する。このリンク情報は例えば、無線通信時におけるリトライの回数によって表現されたり、あるいは無線パケットのエラー率として表現される。このリンク情報は緊急通報優先表７５５の子機の識別情報に対応したエントリのリンク情報フィールド７５４に格納される。
【０１２６】
（２）緊急通報を行う場合、実施の形態２と同様に住人による設定を優先するため、親機はまず緊急通報優先表７５５の設定フラグフィールド７５３がセットされている子機に対して通報を行う。次に設定フラグフィールド７５３がセットされていない子機に対し、そのリンク情報フィールド７５４のリンク状態が良好な子機から優先して通報を行う。
【０１２７】
こうして、無線通信路確立に多くの時間を要する子機を後回しにすることによって、リンク状態が良好な子機の順番待ちの時間を少なくし、一定時間内でより多くの子機に通報できるようになるという効果がある。
【０１２８】
（実施の形態７）
本発明の実施の形態７に係るセキュリティシステムに用いられるマルチコードレス電話機では、子機の充電状態を親機が予め把握し、充電量が少ない子機への通報を優先して行う。
【０１２９】
本実施の形態７の構成は、実施の形態１における図１に示した構成と基本的に同一であるが、親機のメモリ部２２５内に保持される緊急通報優先表２２６の構成が異なり、図１７に示す構成となる。
【０１３０】
ここで、緊急通報優先表８５５は、子機の数に等しいエントリ数（ここではＮ台）を持ち、各エントリは子機の識別情報を保持する識別情報フィールド８５０と、その子機の優先順位を示す優先度フィールド８５１と、緊急通報が完了したことを示す通報完了フラグフィールド８５２と、優先度フィールド８５１の最新の更新があったことを示す設定フラグフィールド８５３と、子機との充電状態を示す充電情報フィールド８５４から構成される。
【０１３１】
以上のように構成された、本発明の実施の形態２に係るセキュリティシステムに用いられるマルチ子機コードレス電話機について、その具体的な動作内容を（１）親機への充電情報の取り込み、（２）優先順序の決定の順に説明する。
【０１３２】
（１）コードレス電話機で一般的に行われている非通話時における定期的（数秒毎）な無線通信路の確認手順において、親機はある子機の充電状態を充電情報として把握する。
【０１３３】
この充電情報は、例えば子機によって把握された子機電池の残量として数値表現される。この充電情報は緊急通報優先表８５５の子機の識別情報に対応したエントリの充電情報フィールド８５４に格納される。
【０１３４】
（２）緊急通報を行う場合、実施の形態２と同様に住人による設定を優先するため、親機はまず緊急通報優先表８５５の設定フラグフィールド８５３がセットされている子機に対して通報を行う。
【０１３５】
次に、設定フラグフィールド８５３がセットされていない子機に対し、その充電情報フィールド８５４の電池残量数値が少ない子機から優先して通報を行う。
【０１３６】
こうして、電池残量がより多い子機に対する通報を後回しにすることによって、電池残量が少ない子機が通報の順番待ちの時間に電池切れになってしまう事態を起きにくくするという効果がある。
【０１３７】
（実施の形態８）
本発明の実施の形態８に係るセキュリティシステムに用いられるマルチコードレス電話機では、親機は各子機で通話が行われた時刻を記録し、警報発生時にはある時間内で通話記録があった子機に優先して通報を行う。本実施の形態８の構成は、実施の形態１における図１に示した構成と基本的に同一であるが、親機のメモリ部２２５内に保持される緊急通報優先表２２６の構成が異なり、図１８に示す構成となる。
【０１３８】
ここで、緊急通報優先表９５５は、子機の数に等しいエントリ数（ここではＮ台）をもち、各エントリは子機の識別情報を保持する識別情報フィールド９５０と、その子機の優先順位を示す優先度フィールド９５１と、緊急通報が完了したことを示す通報完了フラグフィールド９５２と、優先度フィールド９５１の最新の更新があったことを示す設定フラグフィールド９５３と、ある子機の最後の使用時間を示す使用時間情報フィールド９５４から構成される。
【０１３９】
以上のように構成された本発明の実施の形態に係るセキュリティシステムに用いられるマルチ子機コードレス電話機について、その具体的な動作内容を（１）親機への使用時間情報の取り込み、（２）優先順序の決定の順に説明する。
【０１４０】
（１）親機はある子機による通話動作やキー操作などの、親機が子機の動作を把握した時間を、使用時間情報として把握する。
【０１４１】
この使用時間情報は緊急通報優先表９５５の子機の識別情報に対応したエントリの使用時間情報フィールド９５４に格納される。
【０１４２】
（２）緊急通報を行う場合、実施の形態２と同様に住人による設定を優先するため、親機はまず緊急通報優先表９５５の設定フラグフィールド９５３がセットされている子機に対して通報を行う。
【０１４３】
次に設定フラグフィールド９５３がセットされていない子機に対し、その使用時間情報フィールド９５４が、最も最近の子機から優先して通報を行う。
【０１４４】
こうして、最も最近に使用された子機に対する通報を優先することによって、住人のいる可能性が高い子機への緊急通報の待ち時間を短縮できるという効果がある。
【０１４５】
（実施の形態９）
実施の形態１では、緊急通報優先表２２６として保持される子機の優先度情報を住人が適切に設定することにより、緊急を要する子機における緊急通報の遅延を短縮することを目的とした。
【０１４６】
しかし、実施の形態１では図３に示す子機の無線通信路確立時のタイムアウトの時間は、どの子機も等しい。
【０１４７】
従って、優先度が高い子機の場合でも、一定のタイムアウト時間をすぎると通報がなされない（あるいは、もう一度リトライのために順番待ちの時間がかかる）という問題があった。
【０１４８】
この問題を解決するために本実施の形態９では、優先順位の高い子機については優先順位の低い子機よりもタイムアウト時間を長くする制御を行う。本実施の形態９の構成は基本的に実施の形態１の構成である図２と同一である。
【０１４９】
各子機に対するタイムアウト時間の設定は、緊急通報優先表２２６に基づいて決定される。
【０１５０】
例えば、６台の子機に対して、優先度情報に優先度の高いものから順に１から６の数値が割り当てられている場合には、
子機のタイムアウト時間＝６０秒−１０×（優先度−１）という数式により各子機のタイムアウト時間を算出することによって、優先度１の子機は重要な子機であるからタイムアウト時間６０秒と長く設定し、優先度６の子機は優先度が低いのでタイムアウト時間１０秒と短く設定することができる。
【０１５１】
こうした制御によって優先度の高い子機はより時間を長くかけて無線通信路確立を行うことで、重要な子機にもかかわらず通信が行われないという問題を起こりにくくすることができ、また、低優先度の子機に対するタイムアウト時間を短くすることで緊急通報全体に要する時間をむやみに増加させないという効果がある。
【０１５２】
（実施の形態１０）
実施の形態１では、緊急通報優先表２２６として保持される子機の優先度情報を住人が適切に設定することにより、緊急を要する子機における緊急通報の遅延を短縮することを目的とした。
【０１５３】
ところが、住人の操作ミスなどによって明らかに誤った緊急事態が発生し、それによる緊急通報が行われるという事態も考えられる。この場合、各子機への緊急通報は不要なものであるため、緊急通報に要する時間は電話の機能が制限されてしまうことを考慮すると、できるだけ早く緊急通報を中止することが望ましい。
【０１５４】
本発明の実施の形態に係るセキュリティシステムに用いられるマルチ子機コードレス電話機の構成は基本的に図５と同じであるが、親機によって行われる緊急通報処理において、各子機への通報の際に、該当子機からの警報解除要求を受けつける機能をもつ。
【０１５５】
これにより、明らかに誤報と判断できる場合には、住人は手近な子機への緊急通報時の際に警報解除を行うことができ、これによってその子機よりも低い優先度を持つ子機に対する不要な警報通知を行わないようにすることができる。
【０１５６】
本発明の実施の形態１０に係るセキュリティシステムに用いられるマルチコードレス電話機での処理手順を図１９に示す。
【０１５７】
基本的な処理は図３で説明したものと同一であるが、無線通信路の確立後に緊急通報中断要求があるかどうかの判断を行う処理が追加される（Ｓ２０）。緊急通報中断要求は、該当子機の特定のスイッチを押すなどの住人の明示的な操作に応じて無線通信路を経由して親機に送られる信号であり、この要求があった場合には、該当子機を含めて緊急通報の完了あるいは未完了を問わず全ての子機の通報完了フラグをリセットするためＳ１２へ移行して緊急通報処理を終了する（Ｓ１３）。
【０１５８】
以上のように本実施の形態によれば、明らかに誤報と判断できた時に警報解除を行い他の子機へ余分な警報通知を行わないことにより、不要な緊急通報による電話機能の制限時間を短くでき、また他の住人に不要な警報を与えないと言う効果がある。
【０１５９】
（実施の形態１１）
実施の形態１０は、明らかに誤報と判断できた時に不要な警報通知を行わないことを目的とした。この結果、不要な警報であるものの一部の子機のみに警報が通知され、その他の子機へは通知されずに警報通報処理が終了してしまうという状況が発生する。
【０１６０】
しかし、警報を中断させた住人以外の住人にとっては、誤報による正常な中断処理なのか、あるいは機器の故障などによる警報処理の中断という異常状態なのか判断がつかないという問題がある。また、正常な中断処理であっても、住人以外の侵入者等による不正な処理である可能性も考えられる。
【０１６１】
本発明の実施の形態に係るセキュリティシステムに用いられるマルチ子機コードレス電話機において、実施の形態１０での警報解除後に誤警報の発生と警報解除の事実及び解除指令を行った子機識別子（識別子・番号・場所）をすべての子機に通報する機能を付加する。この機能により、住人は誤警報の発生や解除の事実を知ることができ、正当な中断処理であるか故障による異常あるいは不正な中断であるかを判断できるという効果がある。
【０１６２】
（実施の形態１２）
実施の形態１では、緊急通報優先表２２６として保持される子機の優先度情報を住人が適切に設定することにより、緊急を要する子機における緊急通報の遅延を短縮することを目的とした。
【０１６３】
しかし、優先度が設定できるということは、各子機を使用する住人にとっては、自分の使用する子機の優先度が他の住人による設定により変更されてしまうことを意味している。こうした場合、現在の優先度を使用する住人が把握できない状況では、住人の希望と異なる優先度に設定されたままの状態で緊急事態が発生し、その子機への通報が遅れてしまうなどの問題が生じる。
【０１６４】
本実施の形態１２では、この実施の形態１による優先度の設定後の状態を親機がすべての子機に知らせ、それぞれの子機はその優先度を表示部２０６で表示する機能を持つ。
【０１６５】
これによって、すべての住人は全ての子機の優先度を把握することができるため、自分が希望しない優先度に設定された場合には再度設定し直したり、誤った設定や使用状況に合わない設定を即座に見出し修正することができるという効果がある。
【０１６６】
【発明の効果】
本発明は、マルチ子機コードレス電話機の子機を緊急時呼出装置あるいは緊急事態表示装置として使用するような家庭内セキュリティシステムおいて、緊急発生時に親機から複数の子機への逐次的な情報の伝達あるいは通報が必要になる場合に、子機への通信順を決めるための優先順序を親機で保持し、その優先順序は子機の配置場所などに応じて適時設定可能という構成にしたので、より緊急を要する子機における緊急通報の遅延を短縮できる。
【図面の簡単な説明】
【図１】本発明の実施の形態１に係るセキュリティシステムに用いられるマルチ子機コードレス電話機の構成図
【図２】本発明の実施の形態１に係るセキュリティシステムに用いられるマルチコードレス電話機の緊急通報優先表の構成図
【図３】本発明の実施の形態１に係るセキュリティシステムに用いられるマルチコードレス電話機の親機における緊急通報処理の手順を示すフローチャート
【図４】本発明の実施の形態２に係るセキュリティシステムに用いられるマルチコードレス電話機の子機の構成図
【図５】本発明の実施の形態２に係るセキュリティシステムに用いられるマルチコードレス電話機の緊急通報優先表の構成図
【図６】本発明の実施の形態２に係るセキュリティシステムに用いられるマルチコードレス電話機の優先位置変換表の構成図
【図７】コードレス電話子機が、３台の場合の優先順位の決定手順を示す図
【図８】コードレス電話子機１とコードレス電話子機２の配置位置（セキュリティエリア）が入れ替わった状態を示す図
【図９】本発明の実施の形態３に係るセキュリティシステムに用いられるマルチコードレス電話機の位置優先度変換表の構成図
【図１０】本発明の実施の形態３に係るセキュリティシステムに用いられるマルチコードレス電話機の緊急通報優先表の構成図
【図１１】家屋内の３つの部屋に火災の発生を検知する煙センサ１〜３がそれぞれ備えた場合を示す図
【図１２】本発明の実施の形態４に係るセキュリティシステムに用いられるマルチコードレス電話機の位置優先度変換表の構成図
【図１３】本発明の実施の形態４に係るセキュリティシステムに用いられるマルチコードレス電話機の緊急通報優先表の構成図
【図１４】本発明の実施の形態５に係るセキュリティシステムに用いられるマルチ子機コードレス電話機の構成図
【図１５】本発明の実施の形態５に係るセキュリティシステムに用いられるマルチコードレス電話機の緊急通報優先表の構成図
【図１６】本発明の実施の形態６に係るセキュリティシステムに用いられるマルチコードレス電話機の緊急通報優先表の構成図
【図１７】本発明の実施の形態７に係るセキュリティシステムに用いられるマルチコードレス電話機の緊急通報優先表の構成図
【図１８】本発明の実施の形態８に係るセキュリティシステムに用いられるマルチコードレス電話機の緊急通報優先表の構成図
【図１９】本発明の実施の形態１０に係るセキュリティシステムに用いられるマルチコードレス電話機での処理手順を示すフローチャート
【図２０】従来のセキュリティシステムに用いられるマルチ子機コードレス電話機の構成を説明する図
【符号の説明】
２００  子機
２０１  アンテナ
２０２  無線部
２０３  制御部
２０４  メモリ部
２０５  識別情報
２０６  表示部
２０７  入力部
２０８  音声出力部
２０９  音声入力部
２１０  セキュリティ制御部
２１１  公衆回線網
２１２  電話線
２１３  センサ
２１４  電話回線
２１６  電話回線部
２１７  セキュリティ信号入出力部
２１８  アンテナ
２１９  無線部
２２０  制御部
２２１  表示部
２２２  入力部
２２３  音声出力部
２２４  音声入力部
２２５  メモリ部
２２６  緊急通報優先表
２２７  親機
２２８  マルチ子機コードレス電話機
３００  子機
３０３  制御部
３０４  メモリ部
３０５  識別情報
３１０  充電番号情報
３１１  充電番号取得部
３１３  充電番号出力端子
３１４  充電番号保持部
３１５  電源入力部
３１６  充電台
３４０  位置優先度変換表
３４１  充電番号フィールド
３４２  位置優先度フィールド
３５０  識別情報フィールド
３５１  優先度フィールド
３５２  通報完了フィールド
３５３  設定フラグフィールド
３５４  位置優先度フィールド
３５５  緊急通報優先表
４４０  位置優先度変換表
４４１  充電番号フィールド
４４２，４４３，４４４  位置優先度フィールド
４５０  識別情報フィールド
４５１  優先度フィールド
４５２  通報完了フラグフィールド
４５３  設定フラグフィールド
４５４，４５５  位置優先度フィールド
４５６  緊急通報優先表
５４０  位置優先度変換表
５４１  充電番号フィールド
５４２，５４３，５４４  位置優先度フィールド
５５０  識別情報フィールド
５５１  優先度フィールド
５５２  通報完了フラグフィールド
５５３  設定フラグフィールド
５５４，５５５  位置優先度フィールド
５５６  緊急通報優先表
６０３  制御部
６０４  メモリ部
６０５  識別情報
６１０  センサ情報
６１１  センサ情報取得部
６１２  センサ情報入力端子
６１３  センサ情報出力端子
６１４  センサ情報保持部
６１５  電源入力部
６１６  センサ情報入力部
６１７  充電台
６５０  識別情報フィールド
６５１  優先度フィールド
６５２  通報完了フラグフィールド
６５３  設定フラグフィールド
６５４  センサ情報フィールド
６５５  緊急通報優先表
７５０  識別情報フィールド
７５１  優先度フィールド
７５２  通報完了フラグフィールド
７５３  設定フラグフィールド
７５４  リンク情報フィールド
７５５  緊急通報優先表
８５０  識別情報フィールド
８５１  優先度フィールド
８５２  通報完了フラグフィールド
８５３  設定フラグフィールド
８５４  充電情報フィールド
８５５  緊急通報優先表
９５０  識別情報フィールド
９５１  優先度フィールド
９５２  通報完了フラグフィールド
９５３  設定フラグフィールド
９５４  使用時間情報フィールド
９５５  緊急通報優先表
【図１】
2005006242.tif 000003
【図２】
2005006242.tif 000004
【図３】
2005006242.tif 000005
【図４】
2005006242.tif 000006
【図５】
2005006242.tif 000007
【図６】
2005006242.tif 000008
【図７】
2005006242.tif 000009
【図８】
2005006242.tif 000010
【図９】
2005006242.tif 000011
【図１０】
2005006242.tif 000012
【図１１】
2005006242.tif 000013
【図１２】
2005006242.tif 000014
【図１３】
2005006242.tif 000015
【図１４】
2005006242.tif 000016
【図１５】
2005006242.tif 000017
【図１６】
2005006242.tif 000018
【図１７】
2005006242.tif 000019
【図１８】
2005006242.tif 000020
【図１９】
2005006242.tif 000021
【図２０】
2005006242.tif 000022